(57)【特許請求の範囲】
【請求項１】
複数枚の引戸を、それぞれ開閉方向にスライド可能に戸枠の上部にて吊持するとともに、引戸収容位置で横に重ねて配列する一方、開閉時、各引戸の下部をガイド機構で案内しながら、手前側の引戸をスライドさせると、隣接する引戸が順次連動して摺動し開口部を開閉する連動式吊戸装置において、
前記ガイド機構を、対向する長尺なレール体の係合部を互いに係合させてスライド自在に連結したスライドレールを用いて構成し、
前記引戸の中で、開時に引戸収容位置の最も奥側に位置する第１引戸は、その下端面の長さ方向に前記スライドレールに有する一側のレール体を固着し、その一側のレール体を、床面上の引戸収容位置に固着した他側のレール体と係合し、
前記第１引戸以外の第２引戸は、その下端面の長さ方向に前記スライドレールに有する一側のレール体を固着し、その一側のレール体に対して他側のレール体を下方に配置して前記スライドレールを付設するとともに、他側のレール体を、ジョイント部材を介して隣接する引戸と連結してなることを特徴とする、連動式吊戸装置。
【請求項２】
前記ガイド機構に用いる前記スライドレールは、両側縁に内向きに湾曲した係合部を有するアウターレールと、両側縁に外向きに湾曲した係合部を有するインナーレールとを、前記係合部において、ボールリテナーで保持した多数のボールを介して係合してスライド自在に連結してなることを特徴とする、請求項１に記載の連動式吊戸装置。
【発明の詳細な説明】
【０００１】
【発明の属する技術分野】
本発明は、複数枚の引戸を横に重ねて、戸枠上部にて開閉方向にスライド可能に吊持し、手前側の引戸をスライドさせると、奥側に隣接する引戸が順次連動して摺動し開口部を開閉する連動式吊戸装置に関する。
【０００２】
【従来の技術】
従来、この種の連動式吊戸装置は、たとえば図８に示すように、２枚引戸ａ・ｂの上端面における戸尻側と戸先側に吊車体１を搭載し、それら吊車体１の戸車１ａを戸枠ｅの上部に固着したガイドレール２に転動自在に係合して引戸ａ・ｂを吊持し、開時は、引戸収容位置ｄにおいて壁ｗの横に重ねて配列した構造になっている。
【０００３】
このような従来の連動式吊戸装置には、引戸ａ・ｂの下端面にチャンネル部材３・４を凹設して長さ方向にガイド溝３ａ・４ａを形成する一方、それらガイド溝３ａ・４ａにガイドローラ５・６を転動自在に嵌め込んで、引戸ａ・ｂの下部側を案内するガイド機構ｇを備えている。このガイド機構ｇにおいて、壁ｗに対し奥側の第１引戸ａを案内するガイドローラ５は、引戸収容位置ｄの戸先側で床面ｆ上に立設し、手前側の第２引戸ｂを案内するガイドローラ６は、第１引戸ａの戸先側に固着したアングルプレート７の曲げ板片７ａ上に立設している。
【０００４】
そして、開閉時は、壁ｗに対し手前側の第２引戸ｂを開閉方向にスライドさせると、続いて奥側の第１引戸ａが連動して摺動することにより、開口部を開閉するようになっている。
【０００５】
【発明が解決しようとする課題】
ところが、従来の連動式吊戸装置では、開閉時、引戸ａ・ｂの上部側は、ガイドレール２に対し長さ方向左右の２点で戸車１ａを係合して案内するが、下部側は、ガイド溝３ａ・４ａに対し、それぞれ片側の１点でのみガイドローラ５・６を係合して案内する構造である。したがって、たとえば閉止時、引戸ａ・ｂを引き出してスライドさせるときに、図９に鎖線で示すように、引戸ａ・ｂの下部側が、最も戸尻側のガイドローラ５を基点として横振れを起し、その結果、引戸開閉の操作性が極めて悪いという問題があった。
【０００６】
そこで、従来、他の連動式吊戸装置の中に、たとえば図１０に示すように、引戸ａ・ｂ・ｃの下端面に、それぞれ戸車８ａを枢支したガイド体８を凹設する一方、開口部下方の床面ｆ上には、引戸ａ・ｂ・ｃの走行路（敷居部）上にガイドレール９を敷設し、これらガイドレール９の凹溝９ａにガイド体８の戸車８ａを係合し、開閉時に、引戸ａ・ｂ・ｃの下部側が横振れしないように案内する構成にしたものがある。
【０００７】
しかし、この従来の連動式吊戸装置では、敷居部上に複数のレール用の長溝を凹設し、そこにガイドレール９をいちいち敷設する必要があり、それだけガイド機構全体の構築に著しく手間を要し、しかも、床面ｆ上にガイドレール９が突出し、その段差が車椅子等の通行の障害になってバリアフリー化の妨げにもなるという課題があった。
【０００８】
そこで、本発明の目的は、連動式吊戸装置において、引戸下部のガイド機構を組み付ける手間を少なくし、且つ開口部でのバリアフリー化の妨げにならず、開閉時の引戸の横振れ発生を確実に防止して開閉操作性を向上させることにある。
【０００９】
【課題を解決するための手段】
したがって、請求項１に記載の発明は、上述した目的を達成すべく、たとえば以下に示す図示実施の形態のとおり、複数枚の引戸を、それぞれ開閉方向にスライド可能に戸枠の上部にて吊持するとともに、引戸収容位置で横に重ねて配列する一方、開閉時、各引戸の下部をガイド機構で案内しながら、手前側の引戸をスライドさせると、隣接する引戸が順次連動して摺動し開口部を開閉する連動式吊戸装置において、前記ガイド機構を、対向する長尺なレール体の係合部を係合させて互いにスライド自在に連結したスライドレールを用いて構成し、前記引戸の中で、開時に引戸収容位置の最も奥側に位置する第１引戸は、その下端面の長さ方向に前記スライドレールに有する一側のレール体を固着し、その一側のレール体を、床面上の引戸収容位置に固着した他側のレール体と係合し、前記第１引戸以外の第２引戸は、その下端面の長さ方向に前記スライドレールに有する一側のレール体を固着し、その一側のレール体に対して他側のレール体を下方に配置して前記スライドレールを付設するとともに、他側のレール体を、ジョイント部材を介して隣接する引戸と連結してなることを特徴とする。
【００１０】
請求項２に記載の発明は、請求項１に記載の連動式吊戸装置において、たとえば以下に示す図示実施の形態のとおり、前記ガイド機構に用いる前記スライドレールは、両側縁に内向きに湾曲した係合部を有するアウターレールと、両側縁に外向きに湾曲した係合部を有するインナーレールとを、前記係合部において、ボールリテナーで保持した多数のボールを介して係合してスライド自在に連結してなることを特徴とする。
【００１１】
【発明の実施の形態】
以下、図面を参照しつつ、本発明の実施の形態について説明する。
【００１２】
図１は、本発明の一例である連動式吊戸装置の全体構成を示す斜視図である。図示例の連動式吊戸装置は、２枚の引戸Ａ・Ｂを連動的にスライドさせて開口部Ｓを開閉する２連片引型吊戸装置で、壁Ｗ寄り奥側の引戸を第１引戸Ａ、図中手前の引戸を第２引戸Ｂとする。
【００１３】
第１引戸Ａには、その上端面において、図中左の戸先側と右の戸尻側に吊車体１０・１１を搭載し、第２引戸Ｂには、同様に上端面の戸先側と戸尻側に吊車体１２・１３を搭載している。
【００１４】
第１引戸Ａの吊車体１０・１１には、それぞれ該引戸の上端面に固着した取付プレート１４・１５上の片側に、戸車１６・１７を縦向きに組み付け、他側に滑車１８・１９を横向きに組み付けている。第２引戸Ｂの吊車体１２・１３には、それぞれ該引戸の上端面に固着した取付プレート２０・２１上に、戸車２２・２３を縦向きに組み付けている。第１引戸Ａの滑車１８・１９と、第２引戸Ｂの取付プレート２１上に固定したワイヤー保持具２４間には、１本の有端状ワイヤー２５を往復回動可能に掛け回している。ワイヤー２５は、その両端部を、壁Ｗに固設した掛止めリング２６に繋ぐと共に、ワイヤー途中を、第２引戸Ａ上のワイヤー保持具２４で掴持することにより、両引戸Ａ・Ｂを連動して往復摺動可能に連結した構造になっている。
【００１５】
さらに、第１引戸Ａは、戸車１６・１７を、戸枠Ｅの上部に固定した断面コ状のガイドレール２７に転動可能に係合し、開閉方向にスライド自在に吊持している。第２引戸Ｂは、戸車２２・２３を、ガイドレール２７の横で平行に戸枠Ｅの上部に固定したガイドレール２８に転動可能に係合し、同様にスライド自在に吊持している。そして、両引戸Ａ・Ｂは、図２に示すように、開時は、開口部Ｓの戸尻側に形成した引戸収容位置Ｄにおいて、壁Ｗに対し横に２枚重ねで配列される。
【００１６】
一方、この連動式吊戸装置には、下部側に、図１に示すように、開閉操作時に引戸Ａ・Ｂが各々横振れしないように案内するガイド機構Ｇを備えている。図示例のガイド機構Ｇは、図３に示すような長尺な金属製スライドレール単体を複数体使用して構成する。該スライドレール単体は、両側縁に内向きに湾曲した係合部３２ａを有するアウターレール３２と、両側縁に外向きに湾曲した係合部３３ａを有するインナーレール３３とを、係合部３２ａ・３３ａにおいて、ボールリテナー３４で転動可能に保持した多数の金属製ボール３５を介して係合し、両レール３２・３３を互いにスライド自在に連結した構造になっている。
【００１７】
そこで、ガイド機構Ｇでは、上記スライドレール単体を１体使用し、図４に示すように、第２引戸Ｂの下端面に凹設したガイド長溝３０に、アウターレール（一側のレール体）３２をねじで固着してインナーレール（他側のレール体）３３を下向きに配置し、全体にスライドレールＲ２として付設する。
【００１８】
また、ガイド機構Ｇでは、第１引戸Ａを案内するために、上記スライドレール単体を２体使用し、互いのインナーレール３３・３３′を背中合せに重ねて溶接し、１つのスライドレールＲ１を組み立てる。そして、第１引戸Ａの下端面に凹設したガイド長溝２９に、一方のスライドレール単体（一側のレール体）のアウターレール３２をねじで固着する。他方のスライドレール単体（他側のレール体）のアウターレール３２′は、壁Ｗに沿って床面Ｆ上の引戸収容位置Ｄ（図１参照）にねじで固着する。したがって、スライドレールＲ１は、図５に示すように、最下段で固定のアウターレール３２′に対し一体のインナーレール３３・３３′をスライド自在とし、さらに該インナーレール３３・３３′とアウターレール３２とを互いにスライド自在とする２段スライド構成にし、それだけスライドストロークを長くした構造にしている。
【００１９】
さらに、ガイド機構Ｇは、図１および図４に示すように、第１引戸Ａの下端面の戸先側に一端４０ａをねじ止めしたジョイント部材４０の他端４０ｂを、第２引戸Ｂのインナーレール３３にねじ止めし、該ジョイント部材４０を介して両引戸Ａ・Ｂを連結した構成になっている。図示例のジョイント部材４０は、一端４０ａをＬ形板状に曲げ成形した金属プレートからなる。
【００２０】
さて、上述した構成の連動式吊戸装置を作動し、引戸収容位置Ｄに収容した引戸Ａ・Ｂを引き出して開口部Ｓを閉止するときは、まず手前側の第２引戸Ｂを、取っ手４１を持って引き出す。すると、図１に示すが、上記ワイヤー２５が図中矢示する一方向に送られて回動し、これにより、第２引戸Ｂの動き出しに対し連動して第１引戸Ａが少し遅れて引き出される。このとき、両引戸Ａ・Ｂは、上部側において、ガイドレール２７・２８上を戸車１６・１７，２２・２３が転動し、ガイドレール２７・２８で案内すると同時に、下部側において、ガイド機構Ｇにより案内しながらスライドする。
【００２１】
その際、特にガイド機構Ｇでは、スライドレールＲ１のアウターレール３２′上をインナーレール３３・３３′が摺動し、次いで一体のインナーレール３３・３３′に対し、第１引戸Ａがアウターレール３２を介して摺動し、これによって、第１引戸Ａは、横振れを起すことなく直線的に引き出される。また、第２引戸Ｂは、スライドレールＲ２のインナーレール３３上を、アウターレール３２を介して摺動し、これによって、第２引戸Ｂも同様に横振れを起すことなく直線的に引き出される。こうして両引戸Ａ・Ｂが順次連動して引き出され、図６に示すように開口部Ｓを閉止する。
【００２２】
反対に、開口部Ｓの開時は、第２引戸Ｂを、取っ手４１を持って引き戻すと、今度は、上記ワイヤー２５が他方向に送られて回動し、これにより、第２引戸Ｂの動き出しに対し連動して第１引戸Ａが少し遅れて引戸収容位置Ｄ側へ摺動する。このとき、上記閉止時と同様に、両引戸Ａ・Ｂは、その下部側において、ガイド機構Ｇで案内して直線的に引き戻され、横振れの発生が防止される。
【００２３】
ところで、上述した図示実施の形態には、引戸が２枚の吊戸装置の例を示したが、本発明では、引戸が２枚以上の吊戸装置にも適用し得るのは、勿論である。図７に、引戸が３枚の本発明による３連式吊戸装置を示す。
【００２４】
この３連式吊戸装置のガイド機構Ｇでは、最も手前側の第２引戸Ｂ′の案内用に、隣りの第２引戸Ｂと同様に上記スライドレール単体を１体使用し、第２引戸Ｂ′の下端面に凹設したガイド長溝３１に、アウターレール３２をねじで固着してインナーレール３３を下向きに配置し、全体にスライドレールＲ３として付設する。そして、スライドレールＲ３のインナーレール３３に、一端４０ａを第２引戸Ｂの戸先側にねじ止めしたジョイント部材４０の他端４０ｂをねじ止めし、該ジョイント部材を介して第２引戸Ｂ・Ｂ′を連結した構成にする。
【００２５】
なお、上述したガイド機構Ｇにおいて、第１引戸Ａを案内するスライドレールＲ１は、図３に示すスライドレール単体を２体使用して組み立てて構成したが、第２引戸Ｂ・Ｂ′と同様に、上記スライドレール単体を１体用い、たとえば一側のアウターレール３２を床面Ｆ上で引戸収容位置Ｄに固着し、他側のインナーレール３３を第１引戸Ａの下端面に固着して互いに係合させた構成にすることもできる。また、以上の図示実施の形態では、ガイド機構ＧのスライドレールＲ１・Ｒ２・Ｒ３として、アウターレール３２とインナーレール３３とを、ボールリテナー３４で保持した多数のボール３５を介し係合して連結した構造のものを使用したが、本発明では、対向する長尺なレール体の係合部を互いに係合させてスライド自在に連結した構成のスライドレールであれば、上記した図示例以外のものを除外するものではない。
【００２６】
【発明の効果】
上述の如く構成した本発明によれば、次のような効果が得られる。
【００２７】
請求項１に記載の発明によれば、複数枚の引戸の中で、奥側の第１引戸には、下端面にスライドレールの一側レール体を固着し、その一側レール体を、床面上の引戸収容位置に固着した他側レール体と係合し、第１引戸以外の手前側の第２引戸には、下端面に一側レール体を固着して他側レール体を下向きに配置し、その他側レール体を、ジョイント部材を介して隣接する引戸と連結してガイド機構を構成し、開閉時は、ガイド機構のスライドレールのレール体をスライドさせて各引戸を直線的に案内するため、横振れを起すことなく引戸をスムーズに開閉方向に摺動させることができ、その結果、引戸の開閉操作性を一段と向上させることができる。
【００２８】
さらに、請求項１に記載の発明によれば、スライドレールに有するレール体の一部は、通行の妨げにならない開口部横の引戸収容位置に固着して引戸を案内する構成であるため、従来の如く敷居部に複数のガイドレールを敷設するなどの手間をなくしてガイド機構の組付けを簡単にし、しかも、開口部でのバリアフリー化の要請に十分に応えることもできる。
【００２９】
請求項２に記載の発明によれば、アウターレールとインナーレールとを、互いの係合部において、ボールリテナーで保持した多数のボールを介し係合してスライド自在に連結した構造のスライドレールを用いて、上記ガイド機構を構成することにより、それだけ引戸をスムーズにスライドさせて開閉方向に案内することができる。
【図面の簡単な説明】
【図１】本発明の一例である連動式吊戸装置の全体構成を示す斜視図である。
【図２】引戸を引戸収容位置に収容した状態を説明する平面図である。
【図３】引戸のガイド機構に用いるスライドレール単体の構造を示す斜視図である。
【図４】引戸の下部に備えるガイド機構を示す部分拡大側面図である。
【図５】第１引戸に用いるスライドレールの構造を示す斜視図である。
【図６】引戸を引き出して開口部を閉止した状態を説明する平面図である。
【図７】本発明を連式吊戸装置に適用した場合のガイド機構を示す部分拡大側面図である。
【図８】従来の連動式吊戸装置を示す側面図である。
【図９】従来の連動式吊戸装置における引戸の横振れ状態を説明する平面図である。
【図１０】従来の他の連動式吊戸装置を示す部分拡大側面図である。
【符号の説明】
Ａ              第１引戸
Ｂ・Ｂ′        第２引戸
Ｄ              引戸収容位置
Ｅ              戸枠
Ｆ              床面
Ｇ              ガイド機構
Ｒ１・Ｒ２      スライドレール
Ｓ              開口部
Ｗ              壁
３２・３２′    アウターレール
３２ａ          アウターレールの係合部
３３            インナーレール
３３ａ          インナーレールの係合部
３４            ボールリテナー
３５            ボール
４０            ジョイント部材
【図１】
0003618329.tif 000002
【図２】
0003618329.tif 000003
【図３】
0003618329.tif 000004
【図４】
0003618329.tif 000005
【図５】
0003618329.tif 000006
【図６】
0003618329.tif 000007
【図７】
0003618329.tif 000008
【図８】
0003618329.tif 000009
【図９】
0003618329.tif 000010
【図１０】
0003618329.tif 000011